(57)【特許請求の範囲】
【請求項１】
印字データを印字する複数の記録ヘッドを有する記録部と、
前記複数の記録ヘッドごとに複数の印字データを生成する制御部と、
前記記録部と前記制御部とを接続し、かつ前記複数の記録ヘッドに対応し、互いに平行に配線された複数の第１信号線と、前記記録部と前記制御部とを接続し、かつ前記複数の記録ヘッドに対応し、前記複数の第１信号線とは離れて設けられ、互いに平行に配線された複数の第２信号線と、を有する接続ケーブルと、
第１クロック信号を発生するクロック発生器と、を備え、
前記制御部は、
前記第１クロック信号に同期して、入力された印刷対象の画像データを前記複数の印字データに展開する画像処理部と、
前記第１クロック信号の位相と１８０°ずれるように前記第１クロック信号の位相をシフトした第２クロック信号を生成する位相シフト部と、
前記第１クロック信号と前記第２クロック信号とを、前記複数の第１信号線を介して前記記録部に転送するクロック転送部と、を備え、
前記複数の記録ヘッドは、前記第１クロック信号または前記第２クロック信号に同期して、前記制御部から前記複数の第２信号線を介して受信した前記印字データを印字し、
前記複数の第１信号線は、前記複数の記録ヘッドの配置順に対応して隣接して割り当てられ、かつ互いに隣接する複数の第１信号線が前記第１クロック信号と前記第２クロック信号とを隣接する第１信号線で転送するように前記接続ケーブル内で配線されており、
前記記録部は、前記複数の第１信号線のそれぞれに対して接続された複数の終端抵抗を備え、
前記複数の終端抵抗のそれぞれは、互いに抵抗値が異なる、
ことを特徴とする画像形成装置。
【請求項２】
印字データを印字する複数の記録ヘッドを有する記録部と、
前記複数の記録ヘッドごとに複数の印字データを生成する制御部と、
前記記録部と前記制御部とを接続し、かつ前記複数の記録ヘッドに対応し、互いに平行に配線された複数の第１信号線と、前記記録部と前記制御部とを接続し、かつ前記複数の記録ヘッドに対応し、前記複数の第１信号線とは離れて設けられ、互いに平行に配線された複数の第２信号線と、を有する接続ケーブルと、
第１クロック信号を発生するクロック発生器と、を備え、
前記制御部は、
前記第１クロック信号に同期して、入力された印刷対象の画像データを前記複数の印字データに展開する画像処理部と、
前記第１クロック信号の位相と１８０°ずれるように前記第１クロック信号の位相をシフトした第２クロック信号を生成する位相シフト部と、
前記第１クロック信号と前記第２クロック信号とを、前記複数の第１信号線を介して前記記録部に転送するクロック転送部と、を備え、
前記複数の記録ヘッドは、前記第１クロック信号または前記第２クロック信号に同期して、前記制御部から前記複数の第２信号線を介して受信した前記印字データを印字し、
前記複数の第１信号線は、前記複数の記録ヘッドの配置順に対応して隣接して割り当てられ、かつ互いに隣接する第１グループの複数の第１信号線と、互いに隣接する第２グループの複数の第１信号線とを有し、前記第１グループの複数の第１信号線と前記第２グループの複数の第１信号線とは、それぞれ、前記第１クロック信号と前記第２クロック信号とを隣接する第１信号線で転送するように前記接続ケーブル内で配線されており、
前記第１グループの複数の第１信号線を挟み、かつ前記第２グループの複数の第１信号線を挟むようにグランドパターンが配線され、前記グランドパターンが前記クロック転送部側と前記記録部側で接地されている、
ことを特徴とする画像形成装置。
【請求項３】
前記クロック転送部は、前記複数の第１信号線で転送される前記第１クロック信号および前記第２クロック信号を、重複するタイミングで前記記録部に転送することを特徴とする請求項１または２に記載の画像形成装置。
【請求項４】
印字データを印字する複数の記録ヘッドを有する記録部と、
前記複数の記録ヘッドごとに複数の印字データを生成する制御部と、
前記記録部と前記制御部とを接続し、かつ前記複数の記録ヘッドに対応し、互いに平行に配線された複数の第１信号線と、前記記録部と前記制御部とを接続し、かつ前記複数の記録ヘッドに対応し、前記複数の第１信号線とは離れて設けられ、互いに平行に配線された複数の第２信号線と、を有する接続ケーブルと、
第１クロック信号を発生するクロック発生器と、を備え、
前記制御部は、
前記第１クロック信号に同期して、入力された印刷対象の画像データを前記複数の印字データに展開する画像処理部と、
前記第１クロック信号の位相と１８０°ずれるように前記第１クロック信号の位相をシフトした第２クロック信号を生成する位相シフト部と、
前記第１クロック信号と前記第２クロック信号とを、常時、前記複数の第１信号線を介して前記記録部に転送するクロック転送部と、
前記複数の記録ヘッドのそれぞれに対応して設けられ、前記クロック発生器と複数の第３信号線のそれぞれで接続され、前記クロック発生器から前記複数の第３信号線を介して前記第１クロック信号を入力し、前記位相シフト部と複数の第４信号線のそれぞれで接続され、前記位相シフト部から前記複数の第４信号線を介して前記第２クロック信号を入力し、対応する前記記録ヘッドと前記複数の第２信号線のそれぞれで接続された複数の入出力制御部と、を備え、
前記複数の第１信号線は、前記複数の記録ヘッドの配置順に対応して隣接して割り当てられ、かつ互いに隣接する複数の第１信号線が前記第１クロック信号と前記第２クロック信号とを隣接する第１信号線で転送するように前記接続ケーブル内で配線されており、
前記第３信号線と前記第４信号線は、互いに隣接する前記入出力制御部に接続されており、
前記画像処理部は、前記複数の入出力制御部のそれぞれに、前記入出力制御部が対応する前記記録ヘッドの吐出タイミングに応じたラッチ信号と、前記印字データと、を出力し、
前記入出力制御部は、前記画像処理部から出力された前記印字データを、前記第１クロック信号または前記第２クロック信号と同期して、前記複数の第２信号線を介して、対応する前記記録ヘッドに出力し、前記画像処理部から出力された前記ラッチ信号を、前記複数の第２信号線を介して、対応する前記記録ヘッドに出力し、
前記複数の記録ヘッドは、前記第１クロック信号または前記第２クロック信号に同期して、前記ラッチ信号に基づくタイミングで前記印字データを印字する、
ことを特徴とする画像形成装置。
【請求項５】
前記第１クロック信号を入力して、前記第１クロック信号の周波数を逓倍した周波数で同期発振して第３クロック信号を出力する位相同期回路と、
前記第３クロック信号の位相と１８０°ずれるように前記第３クロック信号の位相をシフトした第４クロック信号を生成する第２位相シフト部と、をさらに備え、
前記クロック転送部は、さらに、前記第３クロック信号と前記第４クロック信号とを前記複数の第１信号線を介して前記記録部に転送し、
前記複数の第１信号線は、前記第１グループの複数の第１信号線が、それぞれ前記第１クロック信号と前記第２クロック信号とを隣接する第１信号線で転送するように前記接続ケーブル内で配線され、前記第２グループの複数の第１信号線が、それぞれ前記第３クロック信号と前記第４クロック信号とを隣接する第１信号線で転送するように前記接続ケーブル内で配線されていることを特徴とする請求項２に記載の画像形成装置。
【請求項６】
前記接続ケーブルは、前記第１グループの複数の第１信号線が配線された第１ケーブルと、前記第２グループの複数の第１信号線が配線された第２ケーブルとを有することを特徴とする請求項２に記載の画像形成装置。
【請求項７】
複数のデータを生成する第１処理部と、
前記複数のデータを処理する第２処理部と、
前記第１処理部と前記第２処理部とを接続し、互いに平行に配線された複数の第１信号線と、前記第１処理部と前記第２処理部とを接続し、前記複数の第１信号線とは離れて設けられ、互いに平行に配線された複数の第２信号線と、を有する接続ケーブルと、
第１クロック信号を発生するクロック発生器と、を備え、
前記第１処理部は、
前記複数のデータを生成し、生成した複数のデータを、前記複数の第２信号線を介して、前記第２処理部に転送するデータ転送部と、
前記第１クロック信号の位相と１８０°ずれるように前記第１クロック信号の位相をシフトした第２クロック信号を生成する位相シフト部と、
前記第１クロック信号と前記第２クロック信号とを、前記複数の第１信号線を介して前記第２処理部に転送するクロック転送部と、を備え、
前記複数の第１信号線は、互いに隣接する複数の信号線が前記第１クロック信号と前記第２クロック信号とを隣接する信号線で転送するように前記接続ケーブル内で配線されており、
前記第２処理部は、前記複数の第１信号線のそれぞれに対して接続された複数の終端抵抗を備え、前記第１クロック信号または前記第２クロック信号に同期して、前記第１処理部から前記第２信号線を介して受信した前記複数の画像データを処理し、
前記複数の終端抵抗のそれぞれは、互いに抵抗値が異なる、
ことを特徴とする電気機器。
【請求項８】
複数のデータを生成する第１処理部と、前記複数のデータを処理する第２処理部と、前記第１処理部と前記第２処理部とを接続する接続ケーブルと、第１クロック信号を発生するクロック発生器とを備えた電気機器で実行される信号転送方法であって、
前記接続ケーブルは、前記第１処理部と前記第２処理部とを接続し、互いに平行に配線された複数の第１信号線と、前記第１処理部と前記第２処理部とを接続し、前記複数の第１信号線とは離れて設けられ、互いに平行に配線された複数の第２信号線と、を有し、
前記第２処理部は、前記複数の第１信号線のそれぞれに対して接続された複数の終端抵抗を備え、前記複数の終端抵抗のそれぞれは、互いに抵抗値が異なっており、
前記第１処理部が、前記複数のデータを生成し、生成した複数のデータを、前記複数の第２信号線を介して、前記第２処理部に転送する第１転送ステップと、
前記第１クロック信号の位相と１８０°ずれるように前記第１クロック信号の位相をシフトした第２クロック信号を生成する生成ステップと、
前記第１クロック信号と前記第２クロック信号とを、前記複数の第１信号線を介して前記第２処理部に転送する第２転送ステップと、
前記第１クロック信号または前記第２クロック信号に同期して、前記第１処理部から前記複数の第２信号線を介して受信した前記複数の画像データを処理するステップと、を含み、
前記第２転送ステップは、互いに隣接する複数の第１信号線が前記第１クロック信号と前記第２クロック信号とを隣接する第１信号線で転送することを特徴とする信号転送方法。
【発明の詳細な説明】
【技術分野】
【０００１】
本発明は、画像形成装置、電気機器および信号転送方法に関する。
【背景技術】
【０００２】
電気機器や画像形成装置から放射される電磁雑音を低減させる電磁妨害対策、すなわちＥＭＩ（Ｅｌｅｃｔｒｏ−Ｍａｇｎｅｔｉｃ  Ｉｎｔｅｒｆｅｒｅｎｃｅ）対策において、特に装置内部に配回されているハーネスやフレキシブルフラットケーブル（ＦＦＣ：Ｆｌｅｘｉｂｌｅ  Ｆｌａｔ  Ｃａｂｌｅ、以下、「ＦＦＣ」という。）から発生するＥＭＩノイズの対策には、フェライトコアが広く一般的に使用されている。フェライトコアを用いたＥＭＩ対策では、フェライトコアの設置に際して、ケーブル配回しのレイアウトに影響を受け、ＥＭＩ低減に効果的な位置に配置できない場合がある。特にケーブルが可動部のユニットに配回されている場合などは、ＥＭＩ対策を行うことが困難となる。またさらには、フェライトコアを用いたＥＭＩ対策は部品コストが増大する。
【０００３】
一方、ファライトコアを使用しないＥＭＩ低減の従来技術として、各カラーヘッドのクロック信号の位相をシフトすることによって、互いの放射電磁界を相殺し、これにより、電磁波ノイズの低減を行う技術が知られている（例えば、特許文献１参照）。
【０００４】
しかしながら、このような従来技術では、ケーブルのピンアサインや配回しあるいはケーブルのインピーダンスによって、十分なＥＭＩ低減効果を得られない場合がある。
【発明の概要】
【発明が解決しようとする課題】
【０００５】
本発明は、上記に鑑みてなされたものであって、ケーブルのピンアサインや配回しあるいはケーブルのインピーダンスによらず、かつコストの増大を回避して、ＥＭＩ低減効果を向上させることができる画像形成装置、電気機器および信号転送方法を提供することを目的とする。
【課題を解決するための手段】
【０００６】
上述した課題を解決し、目的を達成するために、本発明にかかる画像形成装置は、印字データを印字する複数の記録ヘッドを有する記録部と、前記複数の記録ヘッドごとに複数の印字データを生成する制御部と、前記記録部と前記制御部とを接続し、かつ前記複数の記録ヘッドに対応し、互いに平行に配線された複数の第１信号線と、前記記録部と前記制御部とを接続し、かつ前記複数の記録ヘッドに対応し、前記複数の第１信号線とは離れて設けられ、互いに平行に配線された複数の第２信号線と、を有する接続ケーブルと、第１クロック信号を発生するクロック発生器と、を備え、前記制御部は、前記第１クロック信号に同期して、入力された印刷対象の画像データを前記複数の印字データに展開する画像処理部と、前記第１クロック信号の位相と１８０°ずれるように前記第１クロック信号の位相をシフトした第２クロック信号を生成する位相シフト部と、前記第１クロック信号と前記第２クロック信号とを、前記複数の第１信号線を介して前記記録部に転送するクロック転送部と、を備え、前記複数の記録ヘッドは、前記第１クロック信号または前記第２クロック信号に同期して、前記制御部から前記複数の第２信号線を介して受信した前記印字データを印字し、前記複数の第１信号線は、前記複数の記録ヘッドの配置順に対応して隣接して割り当てられ、かつ互いに隣接する複数の第１信号線が前記第１クロック信号と前記第２クロック信号とを隣接する第１信号線で転送するように前記接続ケーブル内で配線されており、前記記録部は、前記複数の第１信号線のそれぞれに対して接続された複数の終端抵抗を備え、前記複数の終端抵抗のそれぞれは、互いに抵抗値が異なることを特徴とする。
【０００７】
また、本発明にかかる電気機器は、複数のデータを生成する第１処理部と、前記複数のデータを処理する第２処理部と、前記第１処理部と前記第２処理部とを接続し、互いに平行に配線された複数の第１信号線と、前記第１処理部と前記第２処理部とを接続し、前記複数の第１信号線とは離れて設けられ、互いに平行に配線された複数の第２信号線と、を有する接続ケーブルと、第１クロック信号を発生するクロック発生器と、を備え、前記第１処理部は、前記複数のデータを生成し、生成した複数のデータを、前記複数の第２信号線を介して、前記第２処理部に転送するデータ転送部と、前記第１クロック信号の位相と１８０°ずれるように前記第１クロック信号の位相をシフトした第２クロック信号を生成する位相シフト部と、前記第１クロック信号と前記第２クロック信号とを、前記複数の第１信号線を介して前記第２処理部に転送するクロック転送部と、を備え、前記複数の第１信号線は、互いに隣接する複数の信号線が前記第１クロック信号と前記第２クロック信号とを隣接する信号線で転送するように前記接続ケーブル内で配線されており、前記第２処理部は、前記複数の第１信号線のそれぞれに対して接続された複数の終端抵抗を備え、前記第１クロック信号または前記第２クロック信号に同期して、前記第１処理部から前記第２信号線を介して受信した前記複数の画像データを処理し、前記複数の終端抵抗のそれぞれは、互いに抵抗値が異なることを特徴とする。
【０００８】
また、本発明にかかる信号転送方法は、複数のデータを生成する第１処理部と、前記複数のデータを処理する第２処理部と、前記第１処理部と前記第２処理部とを接続する接続ケーブルと、第１クロック信号を発生するクロック発生器とを備えた電気機器で実行される信号転送方法であって、前記接続ケーブルは、前記第１処理部と前記第２処理部とを接続し、互いに平行に配線された複数の第１信号線と、前記第１処理部と前記第２処理部とを接続し、前記複数の第１信号線とは離れて設けられ、互いに平行に配線された複数の第２信号線と、を有し、前記第２処理部は、前記複数の第１信号線のそれぞれに対して接続された複数の終端抵抗を備え、前記複数の終端抵抗のそれぞれは、互いに抵抗値が異なっており、前記第１処理部が、前記複数のデータを生成し、生成した複数のデータを、前記複数の第２信号線を介して、前記第２処理部に転送する第１転送ステップと、前記第１クロック信号の位相と１８０°ずれるように前記第１クロック信号の位相をシフトした第２クロック信号を生成する生成ステップと、前記第１クロック信号と前記第２クロック信号とを、前記複数の第１信号線を介して前記第２処理部に転送する第２転送ステップと、前記第１クロック信号または前記第２クロック信号に同期して、前記第１処理部から前記複数の第２信号線を介して受信した前記複数の画像データを処理するステップと、を含み、前記第２転送ステップは、互いに隣接する複数の第１信号線が前記第１クロック信号と前記第２クロック信号とを隣接する第１信号線で転送することを特徴とする。
【発明の効果】
【０００９】
本発明によれば、ケーブルのピンアサインや配回しあるいはケーブルのインピーダンスによらず、かつコストの増大を回避して、ＥＭＩ低減効果を向上させることができるという効果を奏する。
【図面の簡単な説明】
【００１０】
【図１】図１は、実施の形態１にかかるインクジェット式プリンタ装置の概略構成図である。
【図２】図２は、記録ヘッド部の概略構成図である。
【図３】図３は、プリンタ制御基板を主とした機能的構成を示すブロック図である。
【図４】図４は、実施の形態１の変形例１におけるシフトレジスタクロック出力のタイミングチャートである。
【図５】図５は、実施の形態１の変形例２におけるプリンタ制御基板を主とした機能的構成を示すブロック図である。
【図６】図６は、実施の形態１の変形例２のクロック信号（シフトレジスタクロックからの出力）とラッチ信号の出力のタイミングチャートである。
【図７】図７は、実施の形態１の変形例３のプリンタ制御基板とヘッドリレー基板とを接続する第１信号線、第２信号線の配線図である。
【図８】図８は、実施の形態１の変形例４のプリンタ制御基板とヘッドリレー基板とを接続する第１信号線、第２信号線の配線図である。
【図９】図９は、実施の形態２のプリンタ制御基板を主とした機能的構成を示すブロック図である。
【発明を実施するための形態】
【００１１】
以下に添付図面を参照して、この発明にかかる画像形成装置、電気機器および信号転送方法の実施の形態を詳細に説明する。
【００１２】
（実施の形態１）
図１は、実施の形態１にかかるインクジェット式プリンタ装置の概略構成図である。図１では、本実施の形態のインクジェット式プリンタを備えた画像形成装置１００（以下、「画像形成装置１００」という。）にネットワークで接続されたホストＰＣ（Ｐｅｒｓｏｎａｌ  Ｃｏｍｐｕｔｅｒ）１０１も示している。ここで、ホストＰＣ１０１は、各種イメージの画像データを画像形成装置１００に送出するコンピュータである。
【００１３】
画像形成装置１００は、図１に示すように、プリンタインタフェース１０３と、スキャナ１０７と、メモリコントローラ１０２と、プリンタ制御基板２００と、操作パネル１０６と、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）１０４と、ＨＤＤ（Ｈａｒｄ  Ｄｉｓｋ  Ｄｒｉｖｅ）１０５と、記録部としての記録ヘッド部１１２と、キャリッジ１１３と、搬送部１１４と、吸引フィン１１５と、排紙部１１６とを主に備えている。
【００１４】
プリンタインタフェース１０３とメモリコントローラ１０２およびプリンタ制御基板２００とはＰＣＩバスで接続されている。
【００１５】
プリンタインタフェース１０３は、ＵＳＢやセントロニクス等のインタフェースであり、スキャナ１０７が接続されている。
【００１６】
メモリコントローラ１０２には操作パネル１０６、ＳＤＲＡＭ１０４、ＨＤＤ１０５が接続されている。メモリコントローラ１０２は、ホストＰＣ１０１からプリンタインタフェース１０３、ＰＣＩバスを介して画像データを受信し、受信した画像データをＳＤＲＡＭ１０４、ＨＤＤ１０５へ一時的に保存する。メモリコントローラ１０２は、スキャナ１０７で読み取った画像データも同様に、プリンタインタフェース１０３、ＰＣＩバスを介して受信し、受信した画像データをＳＤＲＡＭ１０４、ＨＤＤ１０５へ保存する。
【００１７】
プリンタ制御基板２００は、画像形成装置１００の全体を制御するものである。プリンタ制御基板２００は、ＳＤＲＡＭ１０４、ＨＤＤ１０５に格納されている画像データの転送をメモリコントローラ１０２に対して要求する。要求を受けたメモリコントローラ１０２は、ＨＤＤ１０５、ＳＤＲＡＭ１０４に格納されている画像データを、ＰＣＩバスを介してプリンタ制御基板２００へ転送する。
【００１８】
プリンタ制御基板２００は、メモリコントローラ１０２から転送されてきた画像データを、内部の記録ヘッド制御ＡＳＩＣ（後述）によって画像処理し、記録ヘッド部１１２が受け取ることができるデータフォーマットに変換した後、接続ケーブルとしてのフレキシブルフラットケーブル（ＦＦＣ：Ｆｌｅｘｉｂｌｅ  Ｆｌａｔ  Ｃａｂｌｅ、以下、「ＦＦＣ１１１」という。）１１１を介して記録ヘッド部１１２へと転送される。
【００１９】
記録ヘッド部１１２は、インクジェット式の記録ヘッドであり、搬送部１１４によって搬送されてきた用紙に対してインクを吐出することによって作像する。ここで、本実施の形態でが、記録する手段である記録部として記録ヘッド部１１２を用いているが、記録ヘッド部１１２は記録部の一例であり、記録可能な記録部であればいずれも用いることができる。
【００２０】
キャリッジ１１３は、記録ヘッド部１１２を用紙搬送方向に対して垂直な方向に移動させる。この動作によって主走査方向の画像が用紙に形成される。吸引フィン１１５は、インク吐出の際に用紙位置を安定させるためのものである。作像された用紙は排紙部１６によって画像形成装置１００の外部に排出される。
【００２１】
図２は、記録ヘッド部１１２の概略構成図である。プリンタ制御基板２００より出力される各記録ヘッドへのクロック信号および印字データは、１本のＦＦＣを伝送経路として、ヘッドリレー基板１１７に転送される。ヘッドリレー基板１１７は、プリンタ制御基板２００から転送されてきたクロック信号および印字データを、記録ヘッドとしての、２つのモノクロヘッド１１８、１１９）および３つのカラーヘッド１２０のそれぞれに転送する。
【００２２】
図２に示すように、カラーヘッド１２０は、Ｃ（シアン）、Ｍ（マゼンタ）、Ｙ（イエロー）の３色で３ヘッドから構成され、モノクロヘッド１１８、１１９は、Ｋ１、Ｋ２（ブラック）の２ヘッドで構成され、このため、記録ヘッドは合計５ヘッド構成となっている。モノクロヘッド１１８，１１９を２ヘッドとしているのは、図面などのモノクロ線画のアウトプットが多い広幅プリンタでは、生産性を上げるためにモノクロ印字のときに２つのヘッドを稼働させて印字を行うためである。
【００２３】
記録ヘッド１１８、１１９、１２０とヘッドリレー基板１１７は、互いに近傍のキャリッジ１１３上に配置されており、互いを接続する信号伝送経路は極力短いケーブルで接続されている。
【００２４】
一方、ヘッドリレー基板１１７とプリンタ制御基板２００とを接続する信号伝送経路は、ＦＦＣ１１１の１本で装置内部を這い回し、さらにはキャリッジ１１３の主走査方向の動作に追従できる長さが確保されている。
【００２５】
画像形成装置のような電子機器に対しては、各国でＦＣＣ、ＶＣＣＩ、ＥＮ５５０２２等の電磁波ノイズに関する規制が存在しており、機器から発生する電磁波ノイズはそれら規制値以内に抑制する必要がある。
【００２６】
しばしば、長距離なクロック信号伝送経路が存在するシステムにおいては、上記の電磁波ノイズ規制値を超過することがある。本実施の形態の場合、ＦＦＣ１１１は長く配回されており、その内部をクロック信号が転送されることによって、より強度なクロックからの放射電磁界による電磁波ノイズがＦＦＣ１１１から発生するため、上記規制値を超過してしまう。このため、ＦＦＣ１１１から発生する電磁波ノイズを抑制する対策を施すことが必要となる。
【００２７】
ＦＦＣなどのケーブルから発生する電磁波ノイズを抑制するために、フェライトコアを直接ケーブルに装着するという対策がありが、本実施の形態では、電磁波ノイズの発生源であるＦＦＣ１１１は、キャリッジ１１３の主走査方向への作像時の動作に追従して稼働するため、電磁波ノイズ抑制に有効となる位置にフェライトコアを装着ことが困難である。また、フェライトコアによる対策を行う場合には、フェライトコア部品の調達のためにコストが増大する。このため、本実施の形態では、以下に説明するように、ＦＦＣ１１１内の信号線の配線とクロック信号の位相シフトによって、低コストで電磁波ノイズの抑制を図っている。
【００２８】
図３は、プリンタ制御基板を主とした機能的構成を示すブロック図である。プリンタ制御基板２００は、図３に示すように、水晶発振器２０１と、ＣＰＵ２０９と、記録ヘッド制御ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）１１０とを備えている。
【００２９】
ＣＰＵ２０９は、画像形成装置１００の全体制御を司る。水晶発振器２０１は、クロック１（第１クロック信号）を発振させる。
【００３０】
記録ヘッド制御ＡＳＩＣ１１０は、記録ヘッド部１１２を制御する回路である。記録ヘッド制御ＡＳＩＣは、図３に示すように、画像処理部としてのプリンタ画像処理ロジック部２０４と、位相シフト処理部２０７と、５個のＩＯセルＦＦ（Ｆｌｉｐ  Ｆｌｏｐ）２０６２０６Ｋ１〜Ｙと、５個のシフトレジスタクロック生成部２０５Ｋ１〜Ｙとを備えている。
【００３１】
位相シフト処理部２０７は、クロック１を入力し、クロック１の位相を１８０°ずらしてクロック２を生成し出力する。位相シフト部２０７は、例えば、ＰＬＬ（Ｐｈａｓｅ  Ｌｏｃｋｅｄ  Ｌｏｏｐ）を用いる方法（一般的にＰＬＬの機能の一部として位相シフト機能が含まれている）、信号遅延素子を複数個直列に接続して実現する方法、バッファを多段に接続して実現する方法等により、位相シフト処理を実現する。本実施の形態では、位相シフト処理の実現方法については、上記の方法のいずれかで行う他、任意の手法で実現することが可能である。
【００３２】
プリンタ画像処理ロジック部２０４は、クロック１を入力し、メモリコントローラ１０２から転送されてきた画像データを記録ヘッド（２つのモノクロヘッド１１８，１１９，３つのカラーヘッド１２０）ごとの画像データに展開して振り分け、クロック１に同期して、展開された各色用の印字データを出力する。
【００３３】
５個のＩＯセルＦＦ２０６Ｋ１〜Ｙ（以下、特に区別しない場合には、単に「ＩＯセルＦＦ２０６」という。）は、プリンタ画像処理ロジック部２０４から出力される記録ヘッド１１８，１１９，１２０ごとの印字データとクロック１とクロック２を入力する。そして、クロック１またはクロック２に同期して、各印字データをラッチしてヘッドリレー基板１１７に出力するフリップフロップである。
【００３４】
５個のＩＯセルＦＦ２０６は、５個の記録ヘッド１１８，１１９，１２０のそれぞれに対応して設けられている。すなわち、ＩＯセルＦＦ（Ｋ１）２０６Ｋ１は、モノクロヘッド（Ｋ１）１１８に対応し、ＩＯセルＦＦ（Ｋ２）２０６Ｋ２は、モノクロヘッド（Ｋ２）１１９に対応し、ＩＯセルＦＦ（Ｍ）２０６Ｍはマゼンタのカラーヘッド（Ｍ）に対応し、ＩＯセルＦＦ（Ｃ）２０６Ｃはシアンのカラーヘッド（Ｃ）に対応し、ＩＯセルＦＦ（Ｙ）２０６Ｙはイエローのカラーヘッド（Ｙ）に対応している。そして、５個のＩＯセルＦＦ２０６Ｋ１〜Ｙは、それぞれ第２信号線でヘッドリレー基板１１７と接続されている。より具体的には、５個の第２信号線は、記録ヘッド１１８，１１９，１２０の図３に示す配置順序で、ＩＯセルＦＦ２０６Ｋ１〜Ｙに接続されている。
【００３５】
また、ＩＯセルＦＦ２０６のうち、ＩＯセルＦＦ（Ｋ１）２０６Ｋ１、ＩＯセルＦＦ（Ｍ）２０６Ｍ、ＩＯセルＦＦ（Ｃ）２０６Ｃは、それぞれ第３信号線で水晶発振器２０１と接続されており、第３信号線を介してクロック１を入力する。そして、ＩＯセルＦＦ（Ｋ１）２０６Ｋ１、ＩＯセルＦＦ（Ｍ）２０６Ｍ、ＩＯセルＦＦ（Ｃ）２０６Ｃは、クロック１に同期して、モノクロヘッド１１８用の印字データ、マゼンタのカラーヘッド（Ｍ）用の印字データ、シアンのカラーヘッド（Ｃ）用の印字データをそれぞれヘッドリレー基板１１７に出力する。
【００３６】
また、ＩＯセルＦＦ２０６のうち、ＩＯセルＦＦ（Ｋ２）２０６Ｋ２、ＩＯセルＦＦ（Ｙ）２０６Ｙは、それぞれ第２信号線で位相シフト処理部２０７と接続されており、第４信号線を介してクロック１と１８０°位相がシフトされたクロック２を入力する。そして、ＩＯセルＦＦ（Ｋ２）２０６Ｋ２、ＩＯセルＦＦ（Ｙ）２０６Ｙは、クロック２に同期して、モノクロヘッド１１９、イエローのカラーヘッド（Ｙ）用の印字データをそれぞれヘッドリレー基板１１７に出力する。
【００３７】
すなわち、モノクロヘッド（Ｋ１）１１８、マゼンタのカラーヘッド（Ｍ）、シアンのカラーヘッド（Ｃ）１２０のそれぞれに対する印字データがＩＯセルＦＦ２０６で同期化される際に使用されるクロック信号は、位相シフト処理されていないクロック１であり、モノクロヘッド（Ｋ２）１１９、イエローのカラーヘッド（Ｙ）１２０に対する印字データが同期化されるクロック信号は、位相シフト処理部２０７でクロック１を１８０°位相シフトしたクロック２である。
【００３８】
５個のシフトレジスタクロック生成部２０５Ｋ１，２０５Ｋ２，２０５Ｍ，２０５Ｃ，２０５Ｙ（以下、区別する必要のない場合には、単に「シフトレジスタクロック生成部２０５」という。）は、印字データに付加するクロック信号を生成する。生成されるクロック信号は、生成元のクロック１あるいはクロック２を、印字データの転送に必要な数の分だけをゲートしたものであり、クロック１あるいはクロック２と同位相である。
【００３９】
５個のシフトレジスタクロック生成部２０５は、５個の記録ヘッド１１８，１１９，１２０のそれぞれに対応して設けられている。すなわち、シフトレジスタクロック生成部（Ｋ１）２０５Ｋ１は、モノクロヘッド（Ｋ１）１１８に対応し、シフトレジスタクロック生成部（Ｋ２）２０５Ｋ２は、モノクロヘッド（Ｋ２）１１９に対応し、シフトレジスタクロック生成部（Ｍ）２０５Ｍはマゼンタのカラーヘッド（Ｍ）に対応し、シフトレジスタクロック生成部（Ｃ）２０５Ｃはシアンのカラーヘッド（Ｃ）に対応し、シフトレジスタクロック生成部（Ｙ）２０５Ｙはイエローのカラーヘッド（Ｙ）に対応している。そして、５個のシフトレジスタクロック生成部２０５Ｋ１〜Ｙは、それぞれ第１信号線でヘッドリレー基板１１７と接続されている。より具体的には、５個の第１信号線は、記録ヘッド１１８，１１９，１２０の図３に示す配置順序で、シフトレジスタクロック生成部２０５Ｋ１〜Ｙに接続されている。
【００４０】
そして、シフトレジスタクロック生成部（Ｋ１）２０５Ｋ１、シフトレジスタクロック生成部（Ｍ）２０５Ｍ、シフトレジスタクロック生成部（Ｃ）２０５Ｃは、それぞれクロック１を入力し、クロック１を、それぞれ、モノクロヘッド（Ｋ１）１１８用の用印字データ、カラーヘッド（Ｍ）用の印字データ、カラーヘッド（Ｃ）用の印字データの各転送に必要な数の分だけをゲートし、第１信号線を介してヘッドリレー基板１１７に転送する。
【００４１】
また、シフトレジスタクロック生成部（Ｋ２）２０５Ｋ２、シフトレジスタクロック生成部（Ｙ）２０５Ｙは、それぞれクロック１の位相を１８０°シフトしたクロック２を入力し、クロック２を、それぞれ、モノクロヘッド（Ｋ２）１１９用の印字データ、カラーヘッド（Ｙ）用の印字データの各転送に必要な数の分だけをゲートし、第１信号線を介してヘッドリレー基板１１７に転送する。
【００４２】
すなわち、印字データの同期化のためのクロックと同様に、モノクロヘッド（Ｋ１）１１８、カラーヘッド（Ｍ）、カラーヘッド（Ｃ）用の印字データに付加するクロックは、位相シフト処理されていないクロック１から生成され、モノクロヘッド２（Ｋ２）、イエローヘッド（Ｙ）用の印字データに付加するクロックはクロック２から生成され、各第１信号線を介してヘッドリレー基板１１７に転送される。
【００４３】
ここで、１本のＦＦＣ１１１は、上記５本の第１信号線、上記５本の第２信号線をそれぞれ平行に配線して含んでいる。このときのＦＦＣ１１１の信号アサインは、モノクロヘッド（Ｋ１）１１８用の第１信号線、モノクロヘッド（Ｋ２）１１９用の第１信号線、マゼンタのカラーヘッド（Ｍ）用の第１信号線で３本の組（第１グループ）で隣接させる。また、シアンのカラーヘッド（Ｃ）用の第１信号線、イエローのカラーヘッド（Ｙ）用の第１信号線を２本の組（第２グループ）で隣接させる。
【００４４】
すなわち、モノクロヘッド（Ｋ１）１１８、モノクロヘッド（Ｋ２）１１９、マゼンタのカラーヘッド（Ｍ）に対応する第１信号線の３本の組を、記録ヘッド制御ＡＳＩＣ２０４およびヘッドリレー基板１１７の隣接した端子にアサインする。また、シアンのカラーヘッド（Ｃ）、イエロー用のパラ−ヘッド（Ｙ）に対応する第１信号線の２本の組を、記録ヘッド制御ＡＳＩＣ２０４およびヘッドリレー基板１１７の隣接した端子にアサインする。ここで、隣接とは、複数のクロック信号をＦＦＣ１１１の番線が連続するようにアサインする意である。
【００４５】
そして、上述したとおり、３本の組において、モノクロヘッド（Ｋ１）１１８用の第１信号線、マゼンタのカラーヘッド（Ｍ）用の第１信号線を介して、位相シフトされていないクロック１が転送され、モノクロヘッド（Ｋ２）１１９用の第１信号線を介して、位相シフトされたクロック２が転送される。
【００４６】
また、２本の組において、シアンのカラーヘッド（Ｃ）用の第１信号線を介して、位相シフトされていないクロック１が転送され、イエローのカラーヘッド（Ｙ）用の第１信号線を介して位相シフトされたクロック２が転送される。
【００４７】
このため、３本の組、２本の組のそれぞれにおいて、互いの第１信号線を介して転送されるクロック信号から発生している放射電磁界の電磁界成分の打ち消し合い効果が生じる。このため、基本波及び外部輻射電磁波が低減することによって、ＦＦＣ１１１から発生する電磁波ノイズを低減することができる。
【００４８】
第３信号線のアサインについても、モノクロヘッド（Ｋ１）１１８用の第３信号線、モノクロヘッド（Ｋ２）１１９用の第４信号線、マゼンタのカラーヘッド（Ｍ）用の第３信号線で３本の組（ペア）で隣接させる。また、シアンのカラーヘッド（Ｃ）用の第３信号線、イエローのカラーヘッド（Ｙ）用の第４信号線を２本の組（ペア）で隣接させる。
【００４９】
そして、上述したとおり、３本の組において、モノクロヘッド（Ｋ１）１１８用の第３信号線、マゼンタのカラーヘッド（Ｍ）用の第３信号線を介して、位相シフトされていないクロック１が転送され、モノクロヘッド（Ｋ２）１１９用の第４信号線を介して、位相シフトされたクロック２が転送される。
【００５０】
また、２本の組において、シアンのカラーヘッド（Ｃ）用の第３信号線を介して、位相シフトされていないクロック１が転送され、イエローのカラーヘッド（Ｙ）用の第４信号線を介して位相シフトされたクロック２が転送される。
【００５１】
このため、３本の組、２本の組のそれぞれにおいて、互いの第３信号線を介して転送されるクロック信号から発生している放射電磁界の電磁界成分の打ち消し合い効果が生じる。このため、基本波及び外部輻射電磁波が低減することによって、プリンタ制御基板２００から発生する電磁波ノイズを低減することができる。
【００５２】
ヘッドリレー基板１１７に入力された各ヘッドの印字データ及びクロック信号は、各記録ヘッド１１８，１１９，１２０へとそれぞれに振り分けられて転送される。
【００５３】
このように本実施の形態では、第１信号線、第３信号線および第４信号線を３本の組（第１グループ）もしくは２本の組（第２グループ）で隣接するようにアサインし、これら３本の組、２本の組のうち１本の信号線を介して転送されるクロック２が、隣接する他の信号線を介して転送されるクロック１を１８０°位相シフトさせたものとすることで、互いのクロック信号から発生している放射電磁界の電磁界成分の打ち消し合いにより、ＦＦＣ１１１やプリンタ制御基板２００からの電磁波ノイズ発生を低減することができる。
【００５４】
なお、３本の組の第１信号線のクロック信号（モノクロヘッドＫ１、モノクロヘッドＫ２、マゼンタのカラーヘッド）を隣接してアサインする際には、１８０°位相シフトされているクロック２が転送されるモノクロヘッドＫ２用の第１信号線を、位相シフトされていないクロック１が転送されるモノクロヘッドＫ１、マゼンタのカラーヘッド（Ｍ）に対応した第１信号線を挟むように真中にアサインすることが、電磁波ノイズ低減効果には好適である。
【００５５】
（変形例１）
記録ヘッド部１１２へ出力するクロック信号は、印字データの転送期間中のみ出力する必要があり、記録ヘッド１１８，１１９，１２０が決められたノズル数分の印字データをラッチするための立ち上がりエッジが必要となる。この立ち上がりエッジは、印字データ数より少なくても、多くても、正しく記録ヘッド部１１２へデータを転送することができなくなる。
【００５６】
１８０°の位相差が生じているクロック１，クロック２同士は互いの放射電磁界の電磁界成分を打ち消し合うが、いずれか一方が出力していない場合には、電磁界成分の打ち消し合いは期待できなくなる。
【００５７】
図４は、実施の形態１の変形例１におけるシフトレジスタクロック出力のタイミングチャートである。このため、本変形例では、シフトレジスタクロック生成部２０５によって、印字データのタイミングを、図４に示すように、各記録ヘッドで、できる限り重複した期間を設けるように制御する。これにより、電磁界成分の打ち消し合い効果は最大となり、さらなる電磁波ノイズの発生を低減することができる。
【００５８】
（変形例２）
印字データを、変形例１のタイミングでＩＯセルＦＦ２０６から記録ヘッド部１２０に転送した場合、各記録ヘッド１１８，１１９，１２０は同時のタイミングで印字データを受信する必要がある。各記録ヘッド１１８，１１９，１２０で、インクの吐出タイミングが同時であれば問題ないが、画質向上のために、各記録ヘッド１１８，１１９，１２０で吐出タイミングをずらしている場合がある。タイミングのずれが必要な場合、インク吐出のタイミングまでに印字データの転送が終了していることが必要なため、印字データ転送もそれぞれの記録ヘッドに合わせて時間のずれが必要な場合が生じる。
【００５９】
このため、本変形例では、図５に示すように、プリンタ画像処理ロジック部５０４から各ＩＯセルＦＦ２０６に対してラッチ信号（ＬＡＴＣＨ）を送出することにより、印字データ及びラッチ信号を各記録ヘッド１１８，１１９，１２０のインク吐出タイミングに合わせて時間のずれを生じさせて、クロック信号（クロック１、クロック２）を常時出力できるように構成している。
【００６０】
図６は、実施の形態１の変形例２のクロック信号（シフトレジスタクロックからの出力）とラッチ信号の出力のタイミングチャートである。図６に示すように、クロック信号を常時出力することで、１８０°の位相差のクロック１，クロック２同士は常時に放射電磁界の電磁界成分を打ち消し合って、ＦＦＣ１１１から発生する電磁波ノイズをより低減することができる。
【００６１】
（変形例３）
図７は、実施の形態１の変形例３のプリンタ制御基板７００とヘッドリレー基板７１７とを接続する第１信号線、第２信号線の配線図である。本変形例では、実施の形態１と同様に、モノクロヘッド（Ｋ１）１１８用の第１信号線、モノクロヘッドＫ２用の第１信号線、マゼンタのカラーヘッド（Ｍ）用の第１信号線を３本の組とし、モノクロヘッドＫ２用の第１信号線を介して転送されるクロック信号をクロック２としている。また、シアンのカラーヘッド（Ｃ）用の第１信号線、イエローのカラーヘッド（Ｙ）用の第１信号線を２本の組とし、イエローのカラーヘッド（Ｙ）用の第１信号線を介して転送されるクロック信号をクロック２としている。
【００６２】
本変形例では、図７に示すように、プリンタ制御基板７００、ヘッドリレー基板７１７のそれぞれのコネクタと端子の間で、モノクロヘッド（Ｋ１）１１８、モノクロヘッド（Ｋ２）１１９、マゼンタのカラーヘッド（Ｍ）のそれぞれに対応する第１信号線を３本の組として両端を挟むようグランドパターンを配回し接地する。また、プリンタ制御基板７００、ヘッドリレー基板７１７のそれぞれのコネクタと端子の間で、シアンのカラーヘッド（Ｃ）、イエローのカラーヘッド（Ｙ）のそれぞれに対応する第１信号線を２本の組として両端を挟むようグランドパターンを配回し接地する。
【００６３】
これにより、ＦＦＣ１１１内の第１信号線を伝搬するクロック１，クロック２の放射電磁界に対するシールド効果が向上し、ＦＦＣ１１１から発生する電磁波ノイズを抑制することができる。
【００６４】
（変形例４）
図８は、実施の形態１の変形例４のプリンタ制御基板７００とヘッドリレー基板７１７とを接続する第１信号線、第２信号線の配線図である。
【００６５】
本変形例では、図８に示すように、ＦＦＣ１１１の信号アサインにおいて、３本の組の第１信号線及び２本の組の第１信号線のそれぞれにおいて、プリンタ制御基板７００の記録ヘッド制御ＡＳＩＣ２０４の出力端子からヘッドリレー基板７１７のヘッドドライバ入力端子までの転送経路上で、ヘッドリレー基板７１７側に終端抵抗８２０を設けている。
【００６６】
終端抵抗８２０を設けることによって、ＦＦＣ１１１の伝送経路のインピーダンスが安定し、さらにクロック信号の不要反射を防ぐことが可能となり、各クロック信号から発生する放射電磁界のレベルが安定する。これにより、放射電磁界の電磁界成分の打ち消し合い効果も向上し、ＦＦＣ１１１から発生する電磁波ノイズをより抑制することができる。
【００６７】
また、本変形例では、終端抵抗８２０の抵抗値をそれぞれ異なった値に設定している。これにより、放射電磁界の電磁界成分の打ち消し合い効果を向上させ、ＦＦＣ１１１から発生する電磁波ノイズを、さらに抑制することができる。
【００６８】
この場合、終端抵抗８２０の抵抗値を、ＦＦＣ１１１の長さ、配回し場所、プリンタ制御基板７００、ヘッドリレー基板７１７のパターン長さ等の条件によって変更するように構成すればよい。例えば、オーバーシュート、アンダーシュートが多い場合や、不要反射が多いような場合は、終端抵抗８２０の抵抗値を高い値に設定することにより、オーバーシュート、アンダーシュート、不要反射を除去することができ、これによって、クロック信号から輻射される放射電磁界は安定したレベルとなり、放射電磁界の電磁界成分の打ち消し合い効果を向上させ、ＦＦＣ１１１から発生する電磁波ノイズを、さらに抑制することができる。
【００６９】
また、３本の組の第１信号線にアサインされているクロック信号においては、そのうちの２本は第１信号線にアサインされているクロック信号（クロック１）は同位相であり、残り１本の第１信号線にアサインされているクロック信号（クロック２）は、クロック１と１８０°位相がシフトされている。これら３本の第１信号線のクロック信号から発生する放射電磁界の電磁界成分を打ち消し合わせる効果を最大限にするためには、同位相の２本の第１信号線にアサインされたクロック１から発生する放射電磁界と、１８０°の位相差のクロック２からの発生する放射電磁界を同じレベルにすることが必要がある。
【００７０】
このため、本変形例では、各終端抵抗８２０の抵抗値を、同位相のクロック１がアサインされた２本の第１信号線の終端抵抗８２０の抵抗値に対して、クロック２がアサインされた１本の第１信号線の終端抵抗８２０の抵抗値を１／２に構成する。例えば、本変形例において、モノクロヘッド（Ｋ１）１１８、マゼンタのカラーヘッド（Ｍ）に対応する第１信号線の終端抵抗８２０の抵抗値を１ＫΩにし、、モノクロヘッド（Ｋ２）１１９に対応する第１信号線の終端抵抗８２０の抵抗値を５００Ωに構成すればよい。
【００７１】
このように、各記録ヘッド１１８，１１９，１２０に対応する第１信号線の終端抵抗の抵抗値を異なる値とすることにより、各クロック信号の外部輻射電磁波の打ち消し合い効果を最大限に向上させることができ、ＦＦＣ１１１から発生する電磁波ノイズの低減効果をさらに向上させることができる。
【００７２】
さらに、本変形例では、プリンタ制御基板７００及びヘッドリレー基板７１７のＰＣＢパターンに放射電磁界をシールドするためのグランドパターンを設けている。すなわち、図８に示すように、プリンタ制御基板７００、ヘッドリレー基板７１７のそれぞれのコネクタと端子の間で、モノクロヘッド（Ｋ１）１１８、モノクロヘッド（Ｋ２）１１９、マゼンタのカラーヘッド（Ｍ）のそれぞれに対応する第１信号線を３本の組として両端を挟むようグランドパターンを配回し接地する。また、プリンタ制御基板７００、ヘッドリレー基板７１７のそれぞれのコネクタと端子の間で、シアンのカラーヘッド（Ｃ）、イエローのカラーヘッド（Ｙ）のそれぞれに対応する第１信号線を２本の組として両端を挟むようグランドパターンを配回し接地する。
【００７３】
これにより、変形例３と同様に、グランドシールド効果がさらに向上し、ＦＦＣ１１１から発生する電磁波ノイズのさらなる低減を図ることができる。
【００７４】
また、本変形例では、実施の形態１と同様に、モノクロヘッド（Ｋ１）１１８、モノクロヘッド（Ｋ２）１１９、マゼンタのカラーヘッド（Ｍ）に対応する第１信号線の３本の組を、記録ヘッド制御ＡＳＩＣ２０４およびヘッドリレー基板７１７の隣接した端子にアサインする。また、シアンのカラーヘッド（Ｃ）、イエロー用のパラ−ヘッド（Ｙ）に対応する第１信号線の２本の組を、記録ヘッド制御ＡＳＩＣ２０４およびヘッドリレー基板７１７の隣接した端子にアサインする。
【００７５】
これによって、各クロック信号のＰＷＢパターンの隣接距離を接近させることが容易となり、また、等長配線も容易となるため、さらにグランドパターンによるシールド効果が向上し、ＦＦＣ１１１から発生する電磁波ノイズのさらなる低減を図ることができる。
【００７６】
（実施の形態２）
図９は、実施の形態２のプリンタ制御基板を主とした機能的構成を示すブロック図である。プリンタ制御基板９００は、図９に示すように、水晶発振器２０１と、ＣＰＵ２０９と、記録ヘッド制御ＡＳＩＣ９１０とを備えている。ここで、水晶発振器２０１と、ＣＰＵ２０９の機能、構成については実施の形態１と同様である。
【００７７】
記録ヘッド制御ＡＳＩＣ９１０は、記録ヘッド部１１２を制御する回路である。記録ヘッド制御ＡＳＩＣは、図３に示すように、画像処理部としてのプリンタ画像処理ロジック部２０４と、ＰＬＬ回路２０８と、２つの位相シフト処理部２０７ａ，２０７ｂと、５個のＩＯセルＦＦ２０６Ｋ１〜Ｙと、５個のシフトレジスタクロック生成部２０５Ｋ１〜Ｙとを備えている。
【００７８】
ここで、プリンタ画像処理ロジック部２０４と、ＩＯセルＦＦ２０６、シフトレジスタクロック生成部２０５の機能および構成は、実施の形態１と同様である。
【００７９】
水晶発振器２０１で生成されたクロック１は、プリンタ画像処理ロジック部２０４と、ＩＯセルＦＦ（Ｋ１）２０６Ｋ１と、ＩＯセルＦＦ（Ｍ）２０６Ｍと、シフトレジスタクロック生成部（Ｋ１）２０５Ｋ１と、シフトレジスタクロック生成部（Ｍ）２０５Ｍと、位相シフト処理部２０７ａと、ＰＬＬ２０８に出力される。
【００８０】
ＰＬＬ回路２０８（以下、「ＰＬＬ２０８」という。）は、リファレンスクロックとしてクロック１を入力して、クロック１の周波数を逓倍した周波数で同期発振してクロック３を出力する。周波数逓倍されたクロック３は、位相シフト処理部２０７ｂとＩＯセルＦＦ（Ｃ）２０６Ｃとシフトレジスタクロック生成部（Ｃ）２０５Ｃとに入力される。
【００８１】
位相シフト処理部２０７ａは、クロック１を入力し、クロック１の位相を１８０°ずらしてクロック２を生成し、クロック２を、ＩＯセルＦＦ（Ｋ２）２０６Ｋ２と、シフトレジスタクロック生成部（Ｋ２）２０５Ｋ２に出力する。
【００８２】
位相シフト処理部２０７ｂは、ＰＬＬ２０８からクロック３を入力し、クロック３の位相を１８０°ずらしてクロック４を生成し、クロック４を、ＩＯセルＦＦ（Ｙ）２０６Ｙと、シフトレジスタクロック生成部（Ｙ）２０５Ｙに出力する。
【００８３】
本実施の形態では、実施の形態１と同様に、モノクロヘッド（Ｋ１）１１８、モノクロヘッド（Ｋ２）１１９、マゼンタのカラーヘッド（Ｍ）に対応する第１信号線の３本の組を、記録ヘッド制御ＡＳＩＣ２０４およびヘッドリレー基板７１７の隣接した端子にアサインしている。
【００８４】
そして、３本の組において、モノクロヘッド（Ｋ１）１１８用の第１信号線、マゼンタのカラーヘッド（Ｍ）用の第１信号線を介して、位相シフトされていないクロック１が転送され、モノクロヘッド（Ｋ２）１１９用の第１信号線を介して、位相シフト処理部２０７ａによって、クロック１を１８０°位相シフトされたクロック２が転送される。第３信号線についても同様である。
【００８５】
また、シアンのカラーヘッド（Ｃ）、イエロー用のパラ−ヘッド（Ｙ）に対応する第１信号線の２本の組を、記録ヘッド制御ＡＳＩＣ２０４およびヘッドリレー基板７１７の隣接した端子にアサインしている。
【００８６】
そして、２本の組において、シアンのカラーヘッド（Ｃ）用の第１信号線を介して、クロック３が転送され、イエローのカラーヘッド（Ｙ）用の第１信号線を介して、位相シフト処理部２０７ｂによってクロック３を１８０°位相シフトされたクロック４が転送される。第３信号線についても同様である。
【００８７】
このため、実施の形態１と同様に、３本の組、２本の組のそれぞれにおいて、互いの第１信号線を介して転送されるクロック信号から発生している放射電磁界の電磁界成分の打ち消し合い効果が生じる。このため、基本波及び外部輻射電磁波が低減することによって、ＦＦＣ１１１やプリンタ制御基板９００から発生する電磁波ノイズを低減することができる。
【００８８】
また、本実施の形態では、２本の組の第１信号線および第３信号線を介して転送されるクロック３、クロック４のクロック信号周波数を、ＰＬＬ２０８により、３本の組の第１信号線および第３信号線を介して転送されるクロック１、クロック２のクロック信号周波数と異ならせることによって、それぞれの組の電磁波ノイズは周波数帯域が異なり、２系統の第１信号線、第３信号線の組で電磁波ノイズが加算されることがなくなる。このため、本実施の形態によれば、ＦＦＣ１１１やプリンタ制御基板９００から発生する電磁波ノイズのさらなる低減を図ることができる。
【００８９】
ここで、２つの組のクロック信号周波数を異ならせるために、ＰＬＬ２０８によりクロック１の周波数を逓倍する場合には、出力周波数差が０．１２ＭＨｚ以上となるように構成することができる。電磁波ノイズ強度の規格値（ＥＭＣ規格値）は、実際の使用での通信機器の帯域幅をもとに定められており、２つの組のクロック信号周波数が、この帯域幅である０．１２ＭＨｚ以上の差があれば、単独の周波数とみなされなくなる、２つの組の周波数帯のクロック信号による電磁波ノイズのスペクトラムが加算されることがなくなり、電磁波ノイズ測定値の低減を図ることができる。
【００９０】
上記実施の形態１とその変形例、および実施の形態２では、３本の組の第１信号線と２本の組の第１信号線とを一つのＦＦＣ１１１に配線した構成を例にあげて説明したが、３本の組の第１信号線を単一のＦＦＣに配線し、２本の組の第１信号線を別のＦＦＣに配線して、２つのＦＦＣによりプリンタ制御基板とヘッドリレー基板とを接続するように構成してもよい。この場合には、ＦＦＣから発生する電磁波ノイズをさらに低減することが可能となる。
【００９１】
上記実施の形態１とその変形例、および実施の形態２では、プリンタ制御基板とヘッドリレー基板をＦＦＣ１１１で接続し、ＦＦＣ１１１内で複数の第１信号線、複数の第２信号線を平行に配線して含める構成を例にあげて説明したが、プリンタ制御基板とヘッドリレー基板を接続するケーブルは、平行に配線可能な複数の第１信号線、複数の第２信号線を含むハーネス等であればよく、ＦＦＣ１１１に限定されるものではない。
【００９２】
また、上記実施の形態では、電気機器として画像形成装置を例にあげて説明したが、画像形成装置以外の電気機器において２つの処理部を信号線を含むケーブルで接続した場合にも上記実施の形態を適用することができる。
【符号の説明】
【００９３】
１０１  ホストＰＣ
１０２  メモリコントローラ
１０３  プリンタインタフェース
１０５  ＨＤＤ
１０６  操作パネル
１０７  スキャナ
１１０，５１０，９１０  記録ヘッド制御ＡＳＩＣ
１１１  フレキシブルフラットケーブル（ＦＦＣ）
１１２  記録ヘッド部
１１３  キャリッジ
１１４  搬送部
１１５  吸引フィン
１１６  排紙部
１１７，７１７  ヘッドリレー基板
１１８，１１９  モノクロヘッド
１２０  カラーヘッド
１２１，１２２，１２３  ヘッドＩＦ基板
２００，５００，７００，９００  プリンタ制御基板
２０１  水晶発振器
２０４  プリンタ画像処理ロジック部
２０５，２０５Ｋ１，２０５Ｋ２，２０５Ｍ，２０５Ｃ，２０５Ｙ  シフトレジスタクロック生成部
２０６，２０６Ｋ１，２０６Ｋ２，２０６Ｍ，２０６Ｃ，２０６Ｙ  ＩＯセルＦＦ
２０７，２０７ａ，２０７ｂ  位相シフト処理部
２０８  ＰＬＬ
２０９  ＣＰＵ
【先行技術文献】
【特許文献】
【００９４】
【特許文献１】特開２０００−２５５１０９号公報
【図１】
0005747465.tif 000002
【図２】
0005747465.tif 000003
【図３】
0005747465.tif 000004
【図４】
0005747465.tif 000005
【図５】
0005747465.tif 000006
【図６】
0005747465.tif 000007
【図７】
0005747465.tif 000008
【図８】
0005747465.tif 000009
【図９】
0005747465.tif 000010